(57)【要約】【課題】  扉枠の上下、左右および前後方向の位置出しができるとともに、縦枠の下端と床の表面との間に隙間ができない。【解決手段】  仕切壁の開口部３３に取り付けられるとともに床面３９上に設けられる扉枠の取付構造であって、扉枠１は１対の縦枠２および縦枠２の上部を連結する横枠５とを有し、縦枠２または縦枠用ケーシング２２の外周面に沿う側壁１０、１７を有するとともに縦枠２または縦枠用ケーシング２２の上下方向に沿ってスライド可能に嵌合する縦枠用調整部材８またはケーシング用調整部材１５を設ける。さらに、縦枠用調整部材８またはケーシング用調整部材１５の側壁の下端外周に沿って軟質材料で形成される突起片１３、２０を設けて、縦枠２または縦枠用ケーシング２２の下端と床面３９との間の隙間を確実に塞ぐ。【選択図】              図２
2006299711.tif 000002
【特許請求の範囲】
【請求項１】
仕切壁の開口部に取り付けられるとともに床の表面上に設けられる扉枠の取付構造であって、前記扉枠は１対の縦枠および該縦枠の上部を連結する横枠とを有し、前記縦枠の外周面に沿って略密着する側壁を有するとともに前記縦枠の上下方向に沿ってスライド可能に嵌合する調整部材により前記縦枠の下端と前記床の表面との間の隙間を塞いでなる扉枠の取付構造。
【請求項２】
前記調整部材の側壁の下端外周に沿って軟質材料で形成される突起片を設けてなる扉枠の取付構造。
【発明の詳細な説明】
【技術分野】
【０００１】
本発明は、建物の仕切壁の開口部に取り付けられる扉枠の取付構造に関する。
【背景技術】
【０００２】
従来、建物の仕切壁の開口部に取り付けられる扉枠の取付構造としては下記特許文献１に記載のものが知られている。この扉枠の取付構造は、縦枠の横断面形状に沿った形状の挿入開口面を上端に有するガイド枠部材を床面に固定し、このガイド枠部材の挿入開口面に縦枠の下端を挿入することにより取り付けられる。
【特許文献１】特開２００２−１６８０５４号公報
【特許文献２】実開昭５６−７５２８２号公報
【発明の開示】
【発明が解決しようとする課題】
【０００３】
しかしながら、上記いずれの扉枠の取付構造にしても、床面に固定したガイド枠部材ないしレールに固定された台に縦枠の下端を固定するものであるから、少なくとも縦枠の下端は水平方向に対しては固定される。縦枠の下端が水平方向に対して固定されるものであるから、開口部の上下方向の躯体に対して縦枠全体を水平方向に移動して微妙な位置出しを行うことはできなかった。
【０００４】
本発明が解決しようとする課題は、扉枠の上下、左右および前後方向の位置出しができるとともに、縦枠の下端と床の表面との間に隙間ができないことである。
【課題を解決するための手段】
【０００５】
上記課題を解決するため本発明は、仕切壁の開口部に取り付けられるとともに床の表面上に設けられる扉枠の取付構造であって、前記扉枠は１対の縦枠および該縦枠の上部を連結する横枠とを有し、前記縦枠の外周面に沿って略密着する側壁を有するとともに前記縦枠の上下方向に沿ってスライド可能に嵌合する調整部材により前記縦枠の下端と前記床の表面との間の隙間を塞いでなることを特徴とする。
【０００６】
このようにすることにより、調整部材は縦枠の外周面に沿って略密着する側壁を有するとともに縦枠の上下方向に沿ってスライド可能に嵌合するので、縦枠と床面との間に隙間が生じても調整部材を縦枠に沿って下方に下げることによりこの隙間を塞ぐことができる。さらに、調整部材は縦枠に嵌合しているだけで床面に固定されていないので、扉枠を仕切壁の開口部に対して上下、左右および前後方向に調整ができ位置出しができる。
【０００７】
さらに、調整部材の側壁の下端外周に沿って軟質材料で形成される突起片を設けると良い。突起片は軟質であるので調整部材を下方にスライドさせたときに床面に密着し、縦枠と床面との間の隙間を確実に塞ぐことができる。
【０００８】
次に本発明を構成する各要件についてさらに詳しく説明する。本発明の扉枠は１対の縦枠と、その上部を連結する横枠からなり、特に三方枠の扉枠に対して好適に利用できる。扉枠は、その縦枠の下端が床板の表面上ないし若干隙間があり浮き上がった状態で据え付けられる。
【０００９】
扉枠の材質は、無垢の木材、合板、集成材、単板積層材（ＬＶＬ）、木質繊維板（ミディアムデンシティファイバーボード（ＭＤＦ）またはハードファイバーボード）、パーティクルボードなどの木質系、硬質塩化ビニル樹脂、ＡＢＳ樹脂などの各種合成樹脂を板状や棒状に成形して得られる合成樹脂系、ステンレス、アルミニウムなどからなる板状や棒状の金属系などを使用できる。
【００１０】
また、これらの表面に化粧シートを貼着するなどの任意化粧を施すことができる。化粧シートとしては、天然突板、人工突板、不織布、紙、オレフィン樹脂、塩化ビニル樹脂、ポリエステル樹脂、アクリル樹脂その他の合成樹脂などを使用できる。
【００１１】
調整部材は、扉枠の縦枠の外周面に沿って略密着する側壁（または立設部）を有するが、縦枠の長手方向に沿ってスライド可能に嵌合する。調整部材は、扉枠の縦枠に嵌合するように設けられるが、縦枠にケーシングが取り付けられる場合には、ケーシングに対しても設けられる。その構造は縦枠のものと同様で、ケーシングの外周面に沿って略密着する側壁（または立設部）を有し、ケーシングの長手方向に沿ってスライド可能に嵌合する。
【００１２】
突起片は、側壁の下端外周に沿って設けられ、かつ軟質塩化ビニル樹脂、合成ゴムなどの軟質材料で形成されるが、その形状は特に限定されず、たとえば舌状であって外側に凸で内側、すなわち縦枠側に湾曲した形状であると良い。このようにすると扉その他のものに干渉することがない。
【発明の効果】
【００１３】
本発明によれば、縦枠の下端は、床に固定されないので、扉枠の上下、左右および前後方向の位置出しができるとともに、縦枠の下端と床面との間に発生する隙間を調整部材により塞ぐことができる。
【発明を実施するための最良の形態】
【００１４】
以下、本発明に係る扉枠の取付構造の実施形態を図面に基いて詳細に説明する。なお、図１〜６において、同一または同等部分には同一符号を付けて示す。
【実施例１】
【００１５】
図１は、本発明に係る扉枠の取付構造の一実施形態を示す正面図である。本実施形態の扉枠１は、仕切壁３２の開口部３３に取り付けられるとともに床の表面３９上に設けられる。さらに、扉枠１は１対の縦枠２およびこれら縦枠２の上部を連結する横枠５とを有する。縦枠２および横枠５には、それぞれ縦枠用ケーシング２２、横枠用ケーシング２４が取り付けられる。また、縦枠２の下部には縦枠用調整部材８が嵌合される。扉枠１の材質は、木質系材料、ＭＤＦなどが使用される。必要によりこれらの表面には化粧材が設けられる。
【００１６】
図２は、図１に示す扉枠１の取付構造において、左側の縦枠２の下部拡大図である。縦枠２の下部には縦枠用調整部材８が嵌合され、かつ縦枠用ケーシング２２の下部にはケーシング用調整部材１５が嵌合される。縦枠２および縦枠用ケーシング２２の下端は、床板の表面３９に対して若干隙間が発生する場合があり、この隙間を塞ぐように縦枠用調整部材８およびケーシング用調整部材１５は下方に下げられる。
【００１７】
図３は、図１に示す扉枠の取付構造におけるＡ−Ａ線断面図である。縦枠２は、断面略矩形状で、この縦枠２に対して断面Ｌ字状の縦枠用ケーシング２２が取り付けられる。縦枠用ケーシング２２は、その内側に向いた先端部２３が縦枠２の前面および後面に開口するケーシング用溝３に嵌合する。
【００１８】
図３に示すように、縦枠２には縦枠用調整部材８が設けられ、縦枠２の外周面に沿って略密着するように、かつ上下方向（縦枠２の長手方向）に沿ってスライド可能に嵌合する。同様に、縦枠用ケーシング２２にはケーシング用調整部材１５が設けられ、縦枠用ケーシング２２の外周面に沿って略密着するように、かつ上下方向（縦枠用ケーシング２２の長手方向）に沿ってスライド可能に嵌合する。縦枠用調整部材８とケーシング用調整部材１５とは別体に形成される。
【００１９】
仕切壁３２は、柱などの躯体３５の両側に合板、石膏ボードなどの表面板３７を設けたものである。縦枠２は、戸当り用溝２８の中央位置において固定ビス２６により飼木３０を介して躯体３５に固定される。
【００２０】
図４は、図１〜３に示す扉枠の取付構造に使用する縦枠用調整部材８の斜視図である。縦枠用調整部材８は、縦枠２（図示せず）の外周面に沿って略密着するコの字形の側壁１０を有する。さらに、側壁の下端１１に延在させて底板１２が形成される。側壁１０に対向する側には背壁１３が設けられる。背壁１３と側壁１０との間に縦枠２を挟み、扉枠が開口部に固定されているときに縦枠用調整部材８が縦枠２から外れないようにする。
【００２１】
図５は、図３におけるＢ−Ｂ線断面図である。縦枠用調整部材の側壁１０の下端外周に沿って軟質塩化ビニル樹脂、合成ゴムなどの軟質材料で形成される突起片２０が設けられる。その形状は、舌状であって内側、すなわち縦枠２側に反った形状である。
【００２２】
図６は、図１〜３に示す扉枠の取付構造に使用するケーシング用調整部材１５の斜視図である。ケーシング用調整部材１５についても、縦枠用ケーシング２２(図示せず)の外周面に沿って略密着する略コの字形の側壁１７を有する。さらに、側壁の下端１８に延在させて底板１９が形成される。側壁１７の互いに対向する位置にある側壁１７ａ、１７ｂは縦枠用ケーシングの縦枠２に対する出入り寸法に対応するように長めに形成され、扉枠の取り付けの際は余分の部分が切除される（切除部分２０）。
【００２３】
さらに、ケーシング用調整部材１５の下端外周に沿って軟質塩化ビニル樹脂、合成ゴムなどの軟質材料で形成される突起片２１が設けられる。その形状は、舌状であって内側、すなわち縦枠側に反った形状である。
【００２４】
扉枠１を仕切壁の開口部３３に取り付ける方法は、次のようである。図1において、先ず、扉枠１の大きさに対して仕切壁の開口部３３の幅を１０ｍｍ、高さを５ｍｍ程度大きく形成しておく。開口部３３の中央と扉枠１の中央とを一致させたときに、扉枠１の三方外側と開口部３３との間に各々５ｍｍ程度の隙間ｄができるようにすると良い。
【００２５】
次に、扉枠の縦枠２に縦枠用調整部材８を嵌合した後、扉枠１を開口部３３に挿入し床の表面３９上に載置する。そして、扉枠１を上下、左右および前後方向に位置出しを行った後、固定ビス２６(図３)により縦枠２および横枠５を飼木３０（図３）を介して固定する。
【００２６】
次に、縦枠２に予めケーシング用調整部材１５を嵌合した縦枠用ケーシング２２、横枠５に横枠用ケーシング２４を取り付ける。最後に、縦枠用調整部材８およびケーシング用調整部材１５を下方にスライドさせて床の表面３９に当接させて、縦枠２の下端と床の表面３９との間の隙間を塞ぐ。以上の手順で扉枠１を仕切壁の開口部３３に取り付けることができる。
【００２７】
本実施形態の扉枠の取付構造は、次のように作用する。すなわち、図２において、縦枠用調整部材８、ケーシング用調整部材１５は、それぞれ縦枠２の外周面、縦枠用ケーシング２２の外周面に沿って略密着する側壁を有するとともに縦枠２、縦枠用ケーシング２２の上下方向に沿ってスライド可能に嵌合するので、縦枠２と床の表面３９または縦枠用ケーシング２２と床の表面３９との間に隙間が生じても各調整部材８、１５を縦枠２または縦枠用ケーシング２２に沿って下方に下げることによりこの隙間を塞ぐことができる。
【００２８】
さらに、各調整部材８、１５は縦枠２または縦枠用ケーシング２２に嵌合しているだけで床に固定されていないので、扉枠１を仕切壁の開口部３３に対して位置調整するときに上下、左右および前後方向の位置出しができる。
【００２９】
さらに、縦枠用調整部材８、ケーシング用調整部材１５の側壁の下端外周に沿って軟質材料で形成される突起片１４、２１を設けることにより、突起片１４、２１は軟質であるので縦枠用調整部材８、ケーシング用調整部材１５を下方にスライドさせることにより床の表面３９に密着し、縦枠２または縦枠用ケーシング２２と床の表面３９との間の隙間を確実に塞ぐことができる。
【００３０】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３１】
建物の仕切壁に設けられる開口部に扉枠を取り付ける際に利用可能である。
【図面の簡単な説明】
【００３２】
【図１】本発明に係る扉枠の取付構造の一実施形態を示す正面図である。
【図２】図１に示す扉枠の取付構造において、左側の縦枠の下部拡大図である。
【図３】図１に示す扉枠の取付構造におけるＡ−Ａ線断面図である。
【図４】図１〜３に示す扉枠の取付構造に使用する縦枠用調整部材の斜視図である。
【図５】図３におけるＢ−Ｂ線断面図である。
【図６】図１〜３に示す扉枠の取付構造に使用するケーシング用調整部材の斜視図である。
【符号の説明】
【００３３】
１  扉枠
２  縦枠
５  横枠
８  縦枠用調整部材
１０  側壁
１４  突起片
１５  ケーシング用調整部材
１７  側壁
２１  突起片
２２  縦枠用ケーシング
２４  横枠用ケーシング
３２  仕切壁
３３  開口部
３９  床の表面
【図１】
2006299711.tif 000003
【図２】
2006299711.tif 000004
【図３】
2006299711.tif 000005
【図４】
2006299711.tif 000006
【図５】
2006299711.tif 000007
【図６】
2006299711.tif 000008